(57)【要約】【課題】本発明は、ごみから発生する有害な細菌または浮遊粒子を浄化することができるごみ箱を提供することを目的とする。【解決手段】ごみ箱１００は、光触媒浄化装置１と本体２と蓋３と搭載部１０とを有している。光触媒浄化装置１は、空気導入ファン２０と空気排出ファン３０と光源４０と光触媒部５０と電源供給装置６０とから構成されている。光触媒浄化装置１は、搭載部１０に搭載され、蓋３内に設置される。搭載部１０に吸気口と排気口とが形成され、吸気口から本体２内の空気が蓋３内に導入される。空気は、光触媒部５０を通過することにより浄化され、排気口から本体２内に排出される。【選択図】        図１
2004299841.tif 000002
【特許請求の範囲】
【請求項１】
上面が開口されたごみを入れる空間を有する本体と、前記開口を覆う空間を有する蓋と、前記蓋の空間内に設けられ、空気を洗浄するための光触媒浄化装置とを有するごみ箱であって、
前記蓋は、吸気口と排気口とを有し、前記吸気口から前記本体の空間の空気を導入し、前記排気口から空気を前記本体の空間に排出することを特徴とするごみ箱。
【請求項２】
前記蓋の底面は、前記光触媒浄化装置が搭載される搭載部であることを特徴とする請求項１に記載のごみ箱。
【請求項３】
上面が開口されたごみを入れる空間を有する本体と、前記開口を覆う蓋と、前記本体の内側の側面に設けられた空気を洗浄するための空間を有する光触媒浄化装置であって、
前記光触媒浄化装置は、吸気口と排気口とを有し、前記吸気口から前記本体の空間の空気を導入し、前記排気口から空気を前記本体の空間に排出することを特徴とするごみ箱。
【請求項４】
前記光触媒浄化装置は、一面が開口している箱状のケースを有し、前記開口している面が前記本体の側面に接していることを特徴とする請求項３に記載のごみ箱。
【請求項５】
上面が開口されたごみを入れる空間を有する本体と、前記開口を覆う蓋と、前記蓋の上面の裏面に設けられた空気を洗浄するための箱状の光触媒浄化装置であって、
前記光触媒浄化装置は、吸気口と排気口とを有し、前記吸気口から前記本体の空間の空気を導入し、前記排気口から空気を前記本体の空間に排出することを特徴とするごみ箱。
【請求項６】
前記蓋の上面の裏面に形成された被嵌合部と前記光触媒浄化装置の上面に形成された嵌合部とが嵌合されることを特徴とする請求項５に記載のごみ箱。
【請求項７】
上面が開口されたごみを入れる空間を有する本体と、前記開口を覆う蓋と、前記蓋の上面の外側に設けられた空気を洗浄するための箱状の光触媒浄化装置であって、
前記光触媒浄化装置は、吸気口と排気口と、
前記蓋の上面は、前記本体と前記光触媒浄化装置とを連通する前記吸気口と対応した穴部と、前記排気口と対応した穴部とを有し、
前記吸気口から前記本体の前記空間の空気を導入し、前記排気口から空気を前記本体の空間に排出することを特徴とするごみ箱。
【請求項８】
前記蓋の上面の外側に形成された被嵌合部と前記光触媒浄化装置の本体に接する面に形成された嵌合部とが嵌合されることを特徴とする請求項７に記載のごみ箱。
【請求項９】
上面が開口されたごみを入れる空間を有する本体と、前記開口を覆う蓋と、前記本体の外側の側面に設けられ空気を洗浄するための箱状の光触媒浄化装置であって、
前記光触媒浄化装置は、吸気口と排気口とを有し、
前記本体の側面は、前記本体と前記光触媒浄化装置とを連通する前記本体の側面の前記吸気口と対応した穴部と、前記排気口と対応した穴部とを有し、
前記吸気口から前記本体の空間の空気を導入し、前記排気口から空気を前記本体の空間に排出することを特徴とするごみ箱。
【請求項１０】
前記本体の外側の側面に形成された被嵌合部と前記光触媒浄化装置の本体に接する面に形成された嵌合部とが嵌合されることを特徴とする請求項９に記載のごみ箱。
【請求項１１】
前記光触媒浄化装置は、前記吸気口に設けられた前記吸気口から空気を導入する空気導入ファンと、及び又は、前記排気口に設けられた前記排気口から空気を排出する空気排出ファンと、
前記吸気口と前記排気口との間の空気の流れる箇所に設置された空気を洗浄する光触媒部と、
前記光触媒部に光線を照射する光源と、
前記空気導入ファンと、及び又は、前記空気排出ファンと前記光源とに電源を供給する電源供給装置と、
を有することを特徴とする請求項１，３，５，７，９に記載のごみ箱。
【請求項１２】
前記蓋の上面又は側面に形成された採光部と、
前記吸気口に対応して設けられた前記吸気口から空気を導入する空気導入ファンと、及び又は、前記排気口に対応して設けられた前記排気口から空気を排出する空気排出ファンと、
前記吸気口と前記排気口との間の空気の流れる箇所に設置された空気を洗浄する光触媒部と、
前記空気導入ファンと、及び又は、前記空気排出ファンとに電源を供給する電源供給装置とを有し、
外界の光線を導入し、前記採光部で採光した前記光線を前記光触媒部に照射することを特徴とする請求項１に記載のごみ箱。
【請求項１３】
前記光触媒浄化装置に形成された採光部と、
前記吸気口に対応して設けられた前記吸気口から空気を導入する空気導入ファンと、及び又は、前記排気口に対応して設けられた前記排気口から空気を排出する空気排出ファンと、
前記吸気口と前記排気口との間の空気の流れる箇所に設置された空気を洗浄する光触媒部と、
前記空気導入ファンと、及び又は、前記空気排出ファンとに電源を供給する電源供給装置とを有し、
外界の光線を導入し、前記採光部で採光した前記光線を前記光触媒部に照射することを特徴とする請求項７，９に記載のごみ箱。
【請求項１４】
前記本体の外側に設置されている連動機構とペダルとにより構成される前記蓋を開閉するための開閉機構を有することを特徴とする請求項１，３，５，７，９に記載のごみ箱。
【発明の詳細な説明】
【０００１】
【発明の属する技術分野】
本発明は、ごみ箱に係り、特に、本体内の空気を洗浄することができるごみ箱に関する。
【０００２】
【従来の技術】
従来の分類ごみ箱は、本体１と掛け台２とを有している。掛け台２は、台本体２１と台本体２１の両側に設けられてある二つの環枠２２とから構成される。台本体２１の両端は、本体１の周縁１２に設けられている。本体１と掛け台２とを組み合わせることにより、二つの環枠２２は外側において平らになり、本体１の周縁１２に合わせられる。それにより、ごみ袋の開口周縁はそれぞれ環枠２２に巻き付けられて定位置とされ、分類ごみ箱の構造を構成する（例えば、特許文献１参照。）。
【０００３】
この分類ごみ箱の特徴は、ごみを仕分ける機能がある。一般に知られるものと同じく、ごみ箱内に投入されるごみは、有機物、無機物または有機物と無機物とを混合したごみがある（例えば、油の汚れ、植物の残渣、化学廃棄物等）。
【０００４】
【特許文献１】
中華民国特許第４８３４３０号公報
【発明が解決しようとする課題】
しかしながら、ごみは分類ごみ箱内で長時間放置されると、それらの臭気によってごみ箱の内部空間は充満され、ごみ箱の蓋を開けると悪臭が伝って気持ちが悪くなるという問題が生じる。更に、悪臭は室内に散布してしまい、ごみには多くの細菌があるので、いったん空気中に溜まると人々の健康が影響される。
【０００５】
本発明は、上記の問題点を解決し、ごみから発生する有害な細菌または浮遊粒子を浄化することができるごみ箱を提供することを目的とする。
【０００６】
【課題を解決するための手段】
上記課題を解決するため、本発明は、上面が開口されたごみを入れる空間を有する本体と、前記開口を覆う空間を有する蓋と、前記蓋の空間内に設けられ、空気を洗浄するための光触媒浄化装置とを有するごみ箱であって、前記蓋は、吸気口と排気口とを有し、前記吸気口から前記本体の空間の空気を導入し、前記排気口から空気を前記本体の空間に排出することを特徴とする。
【０００７】
本発明において、ごみ箱の本体内の空気を蓋内に導入し、光触媒浄化装置で空気を浄化することにより、ごみ箱の本体内のごみから発生する有害な細菌または浮遊粒子を浄化することができる。
【０００８】
また、本発明は、請求項２に記載されるように、前記蓋の底面は、前記光触媒浄化装置が搭載される搭載部であることを特徴とする。
【０００９】
本発明において、光触媒浄化装置は搭載部に搭載されることにより、蓋の空間に設置することができる。吸気口からごみ箱本体の空気を蓋の空間に導入し、排気口から浄化した空気をごみ箱本体に排出することができる。
【００１０】
また、本発明は、請求項３に記載されるように、上面が開口されたごみを入れる空間を有する本体と、前記開口を覆う蓋と、前記本体の内側の側面に設けられた空気を洗浄するための空間を有する光触媒浄化装置であって、前記光触媒浄化装置は、吸気口と排気口とを有し、前記吸気口から前記本体の空間の空気を導入し、前記排気口から空気を前記本体の空間に排出することを特徴とする。
【００１１】
本発明において、ごみ箱本体の内側の側面に光触媒浄化装置を設置することにより、ごみ箱本体内の空気を浄化することができる。
【００１２】
また、本発明は、請求項４に記載されるように、前記光触媒浄化装置は、一面が開口している箱状のケースを有し、前記開口している面が前記本体の側面に接していることを特徴とする。
【００１３】
本発明において、光触媒浄化装置は、箱状のケースに搭載され、ケースの開口した面がごみ箱本体の側面に固定される。光触媒浄化装置の有する空間内にごみ箱本体の空気を導入することにより、空気が浄化される。
【００１４】
また、本発明は、請求項５に記載されるように、上面が開口されたごみを入れる空間を有する本体と、前記開口を覆う蓋と、前記蓋の上面の裏面に設けられた空気を洗浄するための箱状の光触媒浄化装置であって、前記光触媒浄化装置は、吸気口と排気口とを有し、前記吸気口から前記本体の空間の空気を導入し、前記排気口から空気を前記本体の空間に排出することを特徴とする。
【００１５】
本発明において、蓋の裏面に設置された箱状の光触媒浄化装置により、ごみ箱の本体内の空気を浄化することができる。
【００１６】
また、本発明は、請求項６，８，１０に記載されるように、前記蓋又は本体に形成された被嵌合部と前記光触媒浄化装置に形成された嵌合部とが嵌合されることを特徴とする。
【００１７】
本発明において、光触媒浄化装置をごみ箱の蓋に取り外し可能な状態で固定することができる。
【００１８】
また、本発明は、請求項７に記載されるように、上面が開口されたごみを入れる空間を有する本体と、前記開口を覆う蓋と、前記蓋の上面の外側に設けられた空気を洗浄するための箱状の光触媒浄化装置であって、前記光触媒浄化装置は、吸気口と排気口と、前記蓋の上面は、前記本体と前記光触媒浄化装置とを連通する前記吸気口と対応した穴部と前記排気口と対応した穴部とを有し、前記吸気口から前記本体の前記空間の空気を導入し、前記排気口から空気を前記本体の空間に排出することを特徴とする。
【００１９】
本発明において、蓋の上面に吸気口と排気口とに対応して穴部が形成されていることにより、光触媒浄化装置とごみ箱本体とを連通することができるため、ごみ箱の外部に取り付けられた光触媒浄化装置にごみ箱本体内の空気を導入し、排出することができる。したがって、蓋の上面の外側に設置された箱状の光触媒浄化装置により、ごみ箱の本体内の空気を浄化することができる。
【００２０】
また、本発明は、請求項９に記載されるように、上面が開口されたごみを入れる空間を有する本体と、前記開口を覆う蓋と、前記本体の外側の側面に設けられ空気を洗浄するための箱状の光触媒浄化装置であって、前記光触媒浄化装置は、吸気口と排気口とを有し、前記本体の側面は、前記本体と前記光触媒浄化装置とを連通する前記本体の側面の前記吸気口と対応した穴部と前記排気口と対応した穴部とを有し、前記吸気口から前記本体の前記空間の空気を導入し、前記排気口から空気を前記本体の空間に排出することを特徴とする。
【００２１】
本発明において、本体の外側の側面に設置された箱状の光触媒浄化装置により、ごみ箱の本体内の空気を浄化することができる。
【００２２】
また、本発明は、請求項１１に記載されるように、前記光触媒浄化装置は、前記吸気口に設けられた前記吸気口から空気を導入する空気導入ファンと、及び又は、前記排気口に設けられた前記排気口から空気を排出する空気排出ファンと、前記吸気口と前記排気口との間の空気の流れる箇所に設置された空気を洗浄する光触媒部と、前記光触媒部に光線を照射する光源と、前記空気導入ファンと、及び又は、前記空気排出ファンと前記光源とに電源を供給する電源供給装置と、を有することを特徴とする。
【００２３】
本発明において、光触媒浄化装置は、空気導入ファンによりごみ箱本体の空気を光触媒浄化装置に導入し、光触媒部に通過させることにより、空気を浄化することができる。光触媒部は、光源の照射を受けて空気を浄化することができる。浄化された空気は、空気排出ファンにより、本体内に排出される。
【００２４】
また、本発明は、請求項１２，１３に記載されるように、前記蓋又は前記光触媒浄化装置に形成された採光部と、前記吸気口に対応して設けられた前記吸気口から空気を導入する空気導入ファンと、及び又は、前記排気口に対応して設けられた前記排気口から空気を排出する空気排出ファンと、前記吸気口と前記排気口との間の空気の流れる箇所に設置された空気を洗浄する光触媒部と、前記空気導入ファンと、及び又は、前記空気排出ファンとに電源を供給する電源供給装置とを有し、外界の光線を導入し、前記採光部で採光した前記光線を前記光触媒部に照射することを特徴とする。
【００２５】
本発明において、光源の替わりに、蓋又は光触媒浄化装置に採光部を形成することにより、外界の光線を光触媒部に照射することができるため、光源を設ける必要がなくなる。
【００２６】
また、本発明は、請求項１３に記載されるように、前記本体の外側に設置されている連動機構とペダルとにより構成される前記蓋を開閉するための開閉機構を有することを特徴とする。
【００２７】
本発明において、ペダルを足で踏むことにより、蓋を開閉することができる。
【００２８】
【発明の実施の形態】
以下に添付図面を参照して本発明のある好適な実施の形態を詳細に説明するが、それらの構成は本発明の構造の絶対的な制限にならない。
【００２９】
図１は、本発明の光触媒浄化装置１の構造立体図である。本発明のごみ箱１００は、光触媒浄化装置１と本体２と蓋３と搭載部１０とを有している。光触媒浄化装置１は、搭載部１０に搭載され、蓋３に設置される。本体２の上面には開口を有し、本体２内にはごみを入れる空間４が設けられる。本体２の開口は、蓋３で覆われ、蓋３を閉めることにより、空間４内の空気中の細菌または浮遊粒子が浄化される。
【００３０】
図２は、本発明の光触媒浄化装置１の構造立体図である。光触媒浄化装置１は、空気導入ファン２０と空気排出ファン３０と光源４０と光触媒部５０と電源供給装置６０とから構成される。
【００３１】
図３は、本発明の光触媒浄化装置１の構造分解図である。搭載部１０は、皿状で搭載面１１を有し、搭載面１１の周縁には蓋３と嵌合される周縁１２が設けられている。搭載部１０には、搭載面１１を貫通する吸気口１３と排気口１４とが形成されている。
【００３２】
空気導入ファン２０は、ねじによって搭載面１１の表面に取り付けられ、吸気口１３に対応して空気を吸気口１３へ導入する。空気排出ファン３０は、ねじによって搭載面１１の表面に取り付けられ、排気口１４に対応して空気を排気口１４へ排出する。光源４０は搭載面１１の表面に取り付けられ、通常、光源４０には紫外線ランプが使用される。
【００３３】
光触媒部５０は、ねじによって搭載面１１の表面に取り付けられ、吸気口１３と排気口１４との間に位置する。光触媒部５０には、数枚の二酸化チタンの光触媒塗料を塗布した網５１が使用される。網５１は、横方向に重ね配列されて設置され、通路５２が形成されている。網５１の両端は、支え部５３によって支えられる。光触媒部５０は、光源４０の照射を受けて空気を浄化する。
【００３４】
電源供給装置６０は、搭載面１１の表面に取り付けられて、空気導入ファン２０、空気排出ファン３０及び光源４０の電源を供給する。電源供給装置６０には、ＤＣ直流電気が使用される。電源供給装置６０の箱６１の内部には、電池６３が設置され、箱６１の上面にはスイッチ６３が設けられる。
【００３５】
図４は、本発明の側面図である。光触媒浄化装置１は、蓋３内に設けられ、搭載部１０と蓋３との間には、密閉した空間３１を有している。蓋３の底面は、光触媒浄化装置１が搭載される搭載部１０となっている。光触媒浄化装置１のスイッチ６３は、蓋３の上面から突き出して、使用者の空気洗浄のための制御に使用される。尚、本体２の空間４内には内筒５を設けてもよい。
【００３６】
蓋３を開閉する開閉機構は、内筒５の中に設置された連動機構７０と、連動機構７０の作動をする本体２の外側底部に設けられたペダル７１と、により構成され、本体２を覆う蓋３を開閉することができる。
【００３７】
図５は、本発明の実際使用の状態図である。内筒５にごみ６が入れられた場合、スイッチ６３をオンして空気導入ファン２０、空気排出ファン３０及び光源４０を作動させる。内筒５で発生するごみ６の悪臭空気は、吸気口１３によって空気導入ファン２０に吸い込まれ、空気は光源４０に照らされた光触媒部５０の通路５２に導入される。空気中の有害な細菌は浄化され、または浮遊粒子は分解されて空気は浄化される。最初に浄化された空気は、空気排出ファン３０によって排気口１４から排出される。
【００３８】
このように浄化が繰り返し循環されるので、ごみ箱１００内の悪臭空気を浄化することができる。したがって、使用者が蓋３を開けても鼻を刺すような臭気が外へ流れ出すことがなく、特に室内に置かれたごみ箱１００の蓋３を開けても、室内空気に細菌が分散することを低減できる。
【００３９】
図６は、本発明の第二実施例の構造立体図である。電源供給装置６０には、ＡＣ交流電気が使用されることを示している。電源供給装置６０の箱６１内には、回路板６４が設けられている。回路板６４は電線６５に接続され、電線６５の他端には電源に差し込まれるプラグ６６が設けられている。
【００４０】
図７は、本発明の第三実施例の構造立体図である。光触媒浄化装置１の光源４０の替わりに、蓋３の上面に採光部４１が形成されている。採光部４１は、光が通過できる板であり、外界の光線を導入して光触媒部５０に照射するので、光源４０を設置する必要がない。尚、採光部４１は、蓋３の側面や後述する箱状の光触媒浄化装置１の面に形成してもよい。
【００４１】
密閉した空間３１内には一台だけの空気導入ファン２０が設置され、ごみ箱１００内の空気はその密閉した空間３１内に吸い込まれ、空気を浄化する目的が達成される。更に、排気口１４からごみ箱１００に浄化された空気を送り込み、循環して空気を浄化する。尚、排気口１４上に空気排出ファン３０を設置してもよい。
【００４２】
図８は、本発明の第四実施例の構造立体図である。ごみ箱１００の本体２の空間４には、内筒５が設けられてなく、蓋３が本体２の開口に覆われ、蓋３の上面に取っ手３２が取り付けられている。光触媒浄化装置１の上面には開口を有し、開口が本体２の内側の側面に取り付けられている。光触媒浄化装置１は、一面が開口している箱状のケース４２を有している。ケース４２の開口した面は、本体２の側面に設置される。光触媒浄化装置１のケース４２と本体２の側面との間には、密閉した空間３３が設けられている。
【００４３】
本体２の側面と対向する光触媒浄化装置１のケース４２の面には、吸気口１３と排気口１４とが形成されている。光触媒浄化装置１の排気口１４には、空気排出ファン３０が設けられている。空間１４内の空気は吸気口１３から吸入され、光触媒部５０を経て空気は浄化される。更に、排気口１４から空間４内に送り込まれ、繰り返し循環して空気は充分に浄化される。尚、吸気口１３上に空気導入ファン２０を設置してもよい。
【００４４】
図９は、本発明の第五実施例の構造立体図である。蓋３の上面３５の裏面に被嵌合部３４が設けられている。光触媒浄化装置１は箱状であり、光触媒浄化装置１の上面には嵌合部１５が設けられ、光触媒浄化装置１は取り外し可能に蓋３の上面３５の裏面に取り付けられている。
【００４５】
図１０は、本発明の第六実施例の構造立体図である。ごみ箱１００の本体２の側面２２に被嵌合部２１が設けられている。側面２２には、穴部１６，１７が形成され、ごみ箱１００の本体２内部と光触媒浄化装置１とを連通することができる。光触媒浄化装置１の本体２に接する面の両端には、嵌合部１５が設けられ、光触媒浄化装置１は取り外し可能に本体２の側面２２に設置される。
【００４６】
穴部１６は吸気口１３に対応し、穴部１７は空気排出ファン３０が設置されてある箇所に対応している。空気は吸気口１３から光触媒浄化装置１の箱内に吸い込まれ、光触媒部５０を経て空気の浄化効果が得られ、空気排出ファン３０によって空気は本体２に排出される。尚、吸気口１３上に空気導入ファン２０を設置してもよい。
【００４７】
図１１は、本発明の第七実施例の構造立体図である。ごみ箱１００の蓋３の上面３５に被嵌合部３４が設けられている。蓋３の上面３５には、穴部３６、３７が形成され、ごみ箱１００の本体２内部と光触媒浄化装置１とを連通することができる。光触媒浄化装置１の蓋３に接する面の両端には、嵌合部１５が設けられ、光触媒浄化装置１は取り外し可能に蓋３の上面３５に取り付けられる。
【００４８】
穴部３６は吸気口１３に対応し、穴部３７は空気排出ファン３０が設置されてある箇所に対応している。空気は吸気口１３から光触媒浄化装置１の箱内に吸い込まれ、光触媒部５０を経て空気の浄化効果が得られ、空気排出ファン３０によって空気は本体２に排出される。尚、吸気口１３上に空気導入ファン２０を設置してもよい。
【００４９】
【発明の効果】
ごみ箱に光触媒浄化装置を設置することにより、ごみ箱の本体内のごみから発生する有害な細菌または浮遊粒子を浄化することができる。
【図面の簡単な説明】
【図１】本発明の光触媒浄化装置の構造立体図である。
【図２】本発明の光触媒浄化装置の構造立体図である。
【図３】本発明の光触媒浄化装置の構造分解図である。
【図４】本発明の側面図である。
【図５】本発明の実際使用の状態図である。
【図６】本発明の第二実施例の構造立体図である。
【図７】本発明の第三実施例の構造立体図である。
【図８】本発明の第四実施例の構造立体図である。
【図９】本発明の第五実施例の構造立体図である。
【図１０】本発明の第六実施例の構造立体図である。
【図１１】本発明の第七実施例の構造立体図である。
【符号の簡単な説明】
１        光触媒浄化装置
２        本体
３        蓋
４        空間
５        内筒
１０      搭載部
１３      吸気口
１４      排気口
１６，３６      穴部
２０      空気導入ファン
２１，３４      被嵌合部
２２      側面
３０      空気排出ファン
３１，３３      密閉空間
３２      取っ手
３５      上面
４０      光源
４１      採光部
４２      ケース
５０      光触媒部
５１      網
５２      通路
６０      電源供給装置
６３      スイッチ
７０      連動機構
７１      ペダル
１００    ごみ箱
【図１】
2004299841.tif 000003
【図２】
2004299841.tif 000004
【図３】
2004299841.tif 000005
【図４】
2004299841.tif 000006
【図５】
2004299841.tif 000007
【図６】
2004299841.tif 000008
【図７】
2004299841.tif 000009
【図８】
2004299841.tif 000010
【図９】
2004299841.tif 000011
【図１０】
2004299841.tif 000012
【図１１】
2004299841.tif 000013